(57)【特許請求の範囲】
【請求項１】
回転電機に使用可能なクランプ装置（６２）であって、
貫通孔（８４）を有し、コイル巻線（５４，５６）に結合される保持用プラットホーム（８０）と、
貫通孔（９０）をさらに画定する分離可能な係合セグメント（９２）より成り、保持用プラットホーム（８０）の貫通孔（８４）の内部に調整自在に取り付けられる連結用挿入部材（８２）と、
少なくとも１つの端部（８６）が分離可能な係合セグメント（９２）の間の貫通孔（９０）の内部に受容される大きい胴回りのヘッド部分（８８）を有する半径方向バンド（７２）とより成り、
半径方向バンド（７２）が連結用挿入部材（８２）に固定されるクランプ装置（６２）。
【請求項２】
連結用挿入部材（８２）は保持用プラットホーム（８０）の貫通孔（８４）に螺入され、その内部で調整自在である請求項１のクランプ装置（６２）。
【請求項３】
保持用プラットホーム（８０）の貫通孔（８４）は一般的にテイパー付きの横断面を有し、連結用挿入部材（８２）は保持用プラットホーム（８０）の貫通孔（８４）内に固定される一般的にテイパー付きの横断面を有する請求項１のクランプ装置（６２）。
【請求項４】
半径方向バンド（７２）は予め硬化させ予め張力を付与した材料よりなる請求項１のクランプ装置（６２）。
【請求項５】
半径方向バンド（７３）は、第１及び第２のボールが張力下で予め硬化させ且つねじりを付与したガラス繊維のバンドの対向端部の内部に支持された細長いガラス繊維の棒よりなる請求項１，２，３または４のクランプ装置（６２）。
【請求項６】
貫通孔（７０）を有し、離隔した第１対のコイル巻線に跨って延びる支持ブロック（６４）をさらに有する請求項１，２，３，４または５のクランプ装置（６２）。
【請求項７】
連結用挿入部材（８２）は分離可能な係合セグメントよりなる請求項１，２，３，４，５または６のクランプ装置（６２）。
【請求項８】
分離可能な係合セグメントは貫通孔（９０）を画定する２つの係合半部よりなる請求項７のクランプ装置（６２）。
【請求項９】
連結用挿入部材（８２）の貫通孔（９０）は異なる大きさの第１及び第２の直径を有する請求項８のクランプ装置（６２）。
【請求項１０】
分離可能な係合セグメント（９２）は貫通孔（９０）を画定する２つの係合半部（９２ａ，９２ｂ）よりなる請求項９のクランプ装置（６２）。
【請求項１１】
連結用挿入部材（８２）の貫通孔（９０）は球根状端部が通過できる第１の直径部分（９４）及び球根状端部が通過できない第２の直径部分（９６）を有する請求項８のクランプ装置（６２）。
【請求項１２】
回転電機は、各々の内部に複数の頂部コイル（５４）及び底部コイル（５６）を収容する複数のスロット（１４０）を有し、複数の頂部及び底部コイル（５４，５６）の各々が延びる端部（１６０）を有する固定子コア（１６）を有する請求項１，２，３，４，５，６，７，８，９，１０または１１のクランプ装置（６２）。
【請求項１３】
クランプ装置（６２）の半径方向バンドを構成する細長い棒を形成する方法であって、
バンドを多数回包み込んで連続するループを形成し、
第１と第２のボールをループの内部で離隔して配置し、
ループをボールの間を延びる軸線の周りにねじり、
ボールがバンドの内部に完全に包み込まれて球根状端部が形成されるまでねじり動作を継続させるステップよりなる細長い棒の形成方法。
【請求項１４】
樹脂を含浸させ結合させたガラス繊維のテープを用意し、
ねじりを与えたループに張力を付与し、
樹脂を硬化させて予め硬化させた剛性の細長い棒を形成するステップをさらに含む請求項１３の方法。
【請求項１５】
バンドを包み込むステップは、第１のバンドを多数回包み込んで第１の連続するループを形成し、第２のバンドを多数回包み込んで第２の連続するループを形成するステップより成る請求項１３または１４の方法。
【請求項１６】
ボールを配置するステップは、第１と第２のボールを第１の連続するループの内部で離隔して配置し、第１の連続するループを第２の連続するループの内部においてそれに直角に配置して、第１と第２のボールがそれらの内部に位置するようにするステップを含む請求項１５の方法。
【発明の詳細な説明】
本発明はタービン発電機に関し、さらに詳細には、タービン発電機内で固定子コイル巻線をクランプするためのクランプ装置に関する。
【０００１】
【発明の背景】
発電用タービン発電機は周知であり、導体を受容・支持するスロット付きの固定子コアを備えた端部巻線部分を有するのが一般的である。コアのスロットによる端部巻線の支持は、発電機の動作時、不十分になることがあり、これらの端部巻線に望ましくない構造的ひずみを生ぜしめる激しい振動及び応力が発生することが多い。構造的ひずみはまた、異常な短絡回路又は故障状態の発生時に生じる電磁力に起因することがある。
【０００２】
回転電機の固定子コイル端部巻線の半径方向クランプ組立体に関する米国特許第４，５６３，６０７号（発明者：Cooper et al.）に開示されたような幾つかの技法が、端部巻線に望ましくない構造的ひずみを発生させないようにする目的で開発されている。固定子鉄心のスロット内に位置する頂部及び底部コイルは、半径方向クランプ、ブレース、ブラケット、リング及びひずみブロックにより支持される。半径方向クランプは、端部巻線の軸方向末端部とコアとの間の中間インボリュート領域に配置するのが一般的である。
【０００３】
支持ブロックは、付随する各端部巻線対の半径方向で上方及び下方に位置して、一方の支持ブロックにより２つの平行な底部コイルを押圧させ、またもう一方の支持ブロックにより２つの平行な頂部コイルを押圧させる。
【０００４】
上部及び下部ピンは、コイルの配向方向を横切る方向で支持ブロックに跨って配置する。張力を付与された帯状ループはコイルの両側のピンの周りに連続して配置するため、この帯状ループはピンを押圧し、またこれらのピンは関連の支持ブロック及びコイルを押圧する。
【０００５】
帯状ループが定位置にある状態で、ピンを回転して帯状ループをねじることにより、余分なたるみをなくして、帯状ループをコイルの間で締め付ける。その後、帯状ループに分散させた樹脂を、通常は帯状ループ上に高温の空気を流すことにより、現場で硬化させる。この硬化プロセスは、余分の時間と費用を必要とする。帯状ループを硬化させる必要があるため、通常、作業スケジュールが延びて、タービン発電機の総合コストが増加する。
別の例として、米国特許第４，７８２，５７９号（発明者：Rowe et al.）の図１及び２の構造に必要な硬化プロセスを改善する１つの試みとして、このプロセスの一部、即ちバンドを予め硬化させるものがある。しかしながら、このプロセスでも依然として硬化を広範囲に行うことが必要であり、タービン発電機の設置及び保守のためのより経済的な手段に対する需要がある。
従って、タービン発電機の取り付け及び保守のためのより経済的な手段を提供することが望ましい。加えて、半径方向クランプを取り付ける際考慮しなければならない部品の数を減少することが望ましい。
【０００６】
【発明の概要】
上述の背景に鑑みて、かくして、本発明は、予め硬化させた半径方向バンド等によりコイル巻線をクランプする装置及びその関連方法を提供することにある。本発明のさらに別の目的は、代表的な回転電機の固定子コイルのクランピングに常用する部品及び工程を減少させることにある。
【０００７】
本発明の上記及び他の目的、利点及び特長は、貫通孔を有し、離隔した一対のコイル巻線に跨って延びる保持用プラットホームを備えたクランプ装置により提供される。連結用挿入部材は、この保持用プラットホームの貫通孔内に摺動自在に支持される。この連結用挿入部材は、貫通孔と、この貫通孔への棒の挿入を許容する手段とを有する。細長い棒を連結用挿入部材の貫通孔に挿通するが、この棒は、保持用プラットホームの貫通孔は通過できるが連結用保持部材の貫通孔は通過できない寸法を有する球根状端部を有する。かくして、細長い棒に張力を付与するとプラットホームがコイル巻線に対して偏倚される。
【０００８】
１つの好ましい実施例において、この連結用挿入部材は、貫通孔への棒の挿入を許容する手段として、分離可能な係合セグメントより成り、連結用挿入部材の貫通孔は球根状端部を通過させる第１の寸法部分と、球根状端部を通過させない第２の寸法部分とを含む。さらに、連結用挿入部材の１つの実施例は、保持用プラットホームの貫通孔内に摺動自在に固定するためのテイパー付き断面を有する。
【０００９】
好ましい実施例において、この細長い棒は、予め硬化させ予め張力を付与した帯状材から形成されている。本発明の方法は、バンドを多数回巻き付けて連続したループを形成することにより細長い棒を形成し、第１と第２のボールをループ内で離隔配置し、ボールとボールの間を延びる軸線の周りにこのループをねじり、ボールがバンド内に完全に巻き込まれて各端部に球根状端部が形成されるまでこのねじり作業を継続するステップを含む。さらに、樹脂を含浸させ付着させたガラス繊維のテープを用意する。細長い棒をこのガラス繊維のテープから形成した後、ボールが包み込まれ、ねじられたループに張力を付与し、樹脂を硬化させて、予め硬化させた剛性の細長い棒を形成する。
【００１０】
【好ましい実施例の詳細の説明】
以下において、本発明を、好ましい実施例を示す添付図面を参照して詳説する。しかしながら、本発明は多くの異なる態様で実施可能なため、本願に示す実施例に限定されると解釈すべきではない。これらの実施例は、開示が完全になされるよう、また当業者が発明の範囲を完全に理解するように、提示したものである。本願全体に亘って、同一の参照番号は同一の構成要素を指示する。
【００１１】
本発明の譲受人に譲渡された米国特許第４，５６３，６０７号（発明者：Cooper et al.）に関連して上述したように、現在使用中の技術には改善の必要がある。当該技術分野で知られたある技法を簡単に説明するが、これは本発明の改良点を理解する上で助けとなるであろう。まず図１を参照して、頂部コイル１０と底部コイル１２とは、固定子鉄心１６のスロット１４内に位置している。これらのコイル１０、１２は、半径方向クランプ１８、ブレース２０、ブラケット２２、リング２４、２６、２８、３０及びひずみブロック３２により支持されている。半径方向クランプ１８は通常、端部巻線の軸方向末端部とコアとの間の中間インボリュート領域にある。
【００１２】
図２を参照して説明すると、支持ブロック３４、３６は、付随する各対の端部巻線に関して半径方向上方及び下方に位置するため、一方の支持ブロック３４が２つの底部コイル１２ａ、１２ｂに押圧され、またもう一方の支持ブロック３６が２つの頂部コイル１０ａ、１０ｂに押圧される。各支持ブロック３４、３６は、順応性材料の層により隣接するコイルから離隔されている。上部ピン４０は、コイルが延びる方向に対して横断する方向に支持ブロック３６に跨って配置され、また下部ピン４２も同様に支持ブロック３４に跨って配置されている。張力を付与した帯状ループ４４は、コイルの各側のピン４０、４２の周りで連続したループを形成するように配置されているため、帯状ループ４４が各ピンに押圧され、またこれらのピンがそれぞれ隣接する支持ブロック及びコイルに押圧される。ピン４０と支持ブロック３６との間には、シム４６が設けられている。バネ部材４８と支持用座金５０とが、下部ピン４２と支持ブロック３４との間に配置されている。
【００１３】
上述したように、また図２を参照して、ピン４０及び４２を回転させて帯状ループ４４をねじると、帯状ループの余分のたるみがなくなって、コイル１０と１２の間の帯状ループ４４が締め付けられる。その後、帯状ループ４４内に分散させた樹脂を、通常は高温の空気を帯状ループに流して硬化させる。帯状ループ４４を配置し硬化させた後、油圧ジャッキのような装置により少なくとも一方のピンをコイルから離れる半径方向に引っ張ることにより、帯状ループ４４を伸張させて張力を発生させる。その後、上部ピン４０と支持ブロック３６との間にシム４６を配置するため、帯状ループ４４は油圧ジャッキをはずした後も張力状態に維持される。
【００１４】
図３を参照して、本発明の１つの好ましい実施例は、固定子鉄心５８の頂部又は第１コイル端部巻線５４と底部又は第２コイル端部巻線５６とに予荷重を与える予荷重装置５２を有する。頂部コイル５４と底部コイル５６とは、固定子鉄心５８に画定されたスロット６０内に位置する。これらのコイル５４、５６は、本発明のクランプ装置６２が固定する。本発明に関連して、例えば上部、下部、頂部、底部のような用語は相対的意味を有する用語であって、本発明の構造及び方法はかかる相対的用語の便宜的使用により限定されるものでないことを理解されたい。
【００１５】
図４に示すように、クランプ装置６２の一実施例は、一対の頂部コイル５４の半径方向外側に位置する頂部支持ブロック６４を有する。従来技術では一般的であるが、好ましくは、底部支持ブロックは不要である。頂部支持ブロック６４はポリエステルのフエルトのような順応性材料の層６８により隣接するコイルから離隔されている。支持ブロックは、作動位置において、頂部コイル５４を圧縮する。さらに詳説すると、この頂部支持ブロック６４は、コイル５５，５６を作動位置において固定するために、本発明の予め硬化させた半径方向バンド７２と最初に呼んだ細長い棒を受容する開口７０を有する。この開口７０は、機械の軸線、即ち図１及び３の水平ラインに関して半径方向にほぼ整列している。支持ブロック６４は、例えば、通常は非導電性且つ非磁性材料で作られている。半径方向バンド７２は、支持ブロックの開口７０を貫通する。ひずみブロック７４は種々の位置に配置されて、頂部コイル５４と底部コイル５６との間で支持を与えることができる。ひずみブロック７４の使用は当業者にとって周知である。
再び図４を参照して、本発明の一実施例のクランプ装置６２は、上部ピン７６、予め硬化させた半径方向バンド７２、保持用プラットホーム８０、及びこの保持用プラットホーム内に調整自在に係合する連結用挿入部材８２より成る。上部ピン７６は、頂部コイルが延びる方向に対して横断方向に頂部支持ブロック６４に跨って配置されるようになっている。シム７８は、上部ピン７６と支持ブロック６４との間に配置する。上部ピン７６は、エポキシ樹脂を含浸させたガラス繊維材料より成るのが好ましい。
【００１６】
予め硬化させた半径方向バンド７２は第１の端部５５と第２の端部８６とを有し、第２の端部のヘッド部分８８は球根状である。半径方向バンド７２の第１の端部５５は、横断方向の上部ピン７６の周りでループ状であり、好ましくは成形されているため、帯状ループ７２の第２の端部８６は頂部支持ブロック６４の開口７０を貫通することができる。好ましくは、このヘッド部分８８は、既存の巻線にバンド７２を装着できるサイズのほぼ球形の形状を有する。この球根状ヘッド部分は、ループ状の第１の端部５５より胴周りが小さいように意図されている。
【００１７】
図５を参照して述べるように、保持用プロットホーム８０はほぼテイパー状の断面を有する貫通孔８４を備えている。この貫通孔８４は、それと同じテイパー状断面を有する連結用挿入部材８２を調整自在に受容するようになっている。この連結用挿入部材８２は貫通孔９０を有し、この貫通孔は球根状ヘッド部分８８を受容するようになっている。保持用プラットホームは底部コイル５６に隣接して配置される。連結用挿入部材８２は、ヘッド部分８８を貫通孔９０に容易に挿入できるように分解可能である。連結用挿入部材８２は、貫通孔９０を画定する２つの係合半部９２より成るのが好ましい。この貫通孔９０は、第１の比較的大きい直径部分９４と、第２の比較的小さい直径部分９６とを有する。これらの第１及び第２の直径部分９４、９６は同軸であるのが好ましい。第１の直径部分９４と第２の直径部分９６との間には、肩部９８がある。連結用挿入部材８２の２つの半部９２は、細長い棒、即ち予め硬化させた半径方向バンド７２の球根状ヘッド部分８８が大きい直径部分９４の各半部内に受容されるように分解自在である。この構成では、帯状ループ７２の球根状ヘッド部分８８は大きな直径部分９４内で肩部９８と接触する状態に維持され、予め硬化させた半径方向バンド７２の残部は小さい直径部分９６をピン７６の方へ貫通する。その後、連結用挿入部材８２は貫通孔８４内に配置されるため、この連結用挿入部材８２が半径方向バンド７２のヘッド部分８８を固定する。また、このヘッド部分８８はバンドを調整して整列させるようにわずかに回転可能である。
【００１８】
図４Ａを参照して説明すると、本発明の別の好ましい実施例によるクランプ装置６３は、離隔して配置されているため間にギャップ５７を有する一対の平行な頂部コイル巻線５４の半径方向外側に位置する支持ブロック６４より成る。この支持ブロック６４は開口７０を備えるが、この開口は図４に関連して説明したように、一対の頂部コイル巻線５４の間のギャップ５７と整列関係にある。頂部の保持用プロットホーム８１は、支持ブロック６４に隣接してその頂部コイル巻線対５４とは反対の側にそれらに跨って配置されている。頂部及び底部のような相対的用語の使用は、本発明の好ましい実施例の説明に便宜的に使用するものであり、かかる用語は一般的に相互に置換可能であることを想起されたい。保持用プラットホーム８１は、開口７０とほぼ整列する貫通孔を有する。図４を参照して述べたように、またここで図４Ａを参照して説明するように、底部の保持用プラットホーム８０は、互いに離隔して配置されているため間にギャップ５７を有し、さらに頂部のコイル巻線対５４からも離隔して配置された下部の平行なコイル巻線対５６に跨って延びる。この底部の保持用プラットホーム８０は、貫通孔８４を有する。その結果、頂部のコイル巻線対５４と底部のコイル巻線対５６とが、頂部の保持用プラットホーム８１と底部の保持用プラットホーム８０との間に介在することになる。
【００１９】
引き続き図４Ａを参照して、底部の連結用保持部材８２と頂部の連結用保持部材８３とは、保持用プラットホーム８０、８１のそれぞれの孔８４、８５内に摺動自在に支持されている。連結用挿入部材８２、８３はそれぞれ貫通孔９０、９１と、細長い棒７３の貫通孔９０、９１への挿入を許容する手段とを備えている。剛性の細長い棒７３は、連結用挿入部材８２、８３の貫通孔９０、９１を通過できる。この好ましい実施例の細長い棒７２は、保持用プラットホーム８０、８１の各貫通孔８４、８５は通過できるが連結用挿入部材８２、８３の貫通孔９０、９１は通過できない寸法の球根状端部８８、８９を有する。従って、細長い棒７３に張力を付与すると、頂部の保持用プラットホーム８１と底部の保持用プラットホーム８０とがコイル巻線５４及び５６に対して偏倚されそれらをクランプする。
【００２０】
図４及び５を参照して述べたと同じような態様で、連結用挿入部材８２、８３の各貫通孔９０、９１は、球根状端部８８、８９を通過させる第１の直径部分９４と、球根状端部８８、８９を通過させない第２の直径部分９６とを有する。図４Ａを参照してさらに説明するように、連結用挿入部材８２、８３は保持用プラットホーム８０、８１の貫通孔８４、８６内に固定されるテイパー付きの断面を有し、これによりプラットホーム８１を用いて細長い棒７３にかかる張力を調節することができる。再び、各連結用挿入部材８２、８３は分離可能な係合セグメント９２より成り、これら分離可能な係合セグメント９２は貫通孔９０、９１を画定する２つの係合弓状部分９２ａ、９２ｂより成る。
【００２１】
保持用プラットホーム１００及び連結用挿入部材１０２の別の実施例を、図６−８を参照して説明する。保持用プラットホーム１００は、好ましくは機械の軸線に関して半径方向に位置する貫通孔１０３を有する。この貫通孔１０３は、貫通孔１０４を画定する連結用挿入部材１０２と調整自在に係合するように螺設部を有する。連結用挿入部材１０２は、その貫通孔１０４内に球根状ヘッド部分８８を受容できるようにするため分解自在である。連結用挿入部材１０２は、好ましくは、貫通孔１０４を画定する２つの同一係合半部１０６より成る。この貫通孔１０４は、第１の比較的大きい直径部分１０８と、第２の比較的小さい直径部分１１０とを有する。第１及び第２の直径部分は、好ましくは同軸である。肩部１１２が、第１の直径部分１０８と第２の直径部分１１０との間にある。連結用挿入部材は、保持用プラットホームの貫通孔内に螺着される。保持用プラットホーム及び連結用挿入部材は、ピン７６の製造に用いると同じ材料で形成するのが好ましい。
【００２２】
この構成によると、ヘッド部分８８は大きな直径部分１０８内において肩部１１２と接触関係に維持され、バンド７２の残部が小さい直径部分１１０を貫通してピン７６の方へ延びる。ヘッド部分８８を保持した状態で、連結用挿入部材１０２を保持用プラットホームの貫通孔１０３内に螺入してバンドが所望の長さになるようにする。この構成によると、ヘッド部分８８をわずかに回転させて半径方向バンドを調整し整列させるようになっている。再び図８を参照して説明するように、調整用の２つの孔１１４は調整工具を受けて種々の長さのバンドに適合できるようにする。
【００２３】
作用について説明すると、例えば、図４及び６を参照して説明した予め硬化させた半径方向バンド７２を、ピン７６の周りで予め成形する。ピン７６は頂部の支持ブロック６４上に位置し、帯状ループ７２の第２の端部８６は支持ブロックの開口７０を貫通する。帯状ループ７２のヘッド部分８８は連結用挿入部材１０２の各半部９２内に位置するため、ヘッド部分８８が肩部１１２に対し、大きな直径部分１０８の内部で固定され、また帯状ループ７２の残部は小さな直径部分１１０を貫通してピン７６の方へ延びる。この構成によると、連結用挿入部材１０２はプラットホーム１００の貫通孔１０３内に位置するため、連結用挿入部材１０２が帯状ループ７２のヘッド部分８８を固定する。さらに、ヘッド部分８８をわずかに回転させてバンドを調整し整列させることができる。
【００２４】
さらに別の例として、図４Ａを参照して説明したクランプ装置６３の取り付け方法を図４Ｂ及び４Ｃを参照して説明すると、細長い棒７３の球根状端部８９を、その細長い棒７３の反対端部を底部の保持用プロットホーム８０内に配置した後、コイル巻線５４の間のギャップ５７に挿通する。再び図４Ｂを参照して説明すると、層６８及び上部支持ブロック６４をコイル５４の上に配置する。頂部の保持用プラットホーム８１を頂部の支持ブロック６４上に直接配置し、プラットホーム８１を定位置に保持するべく細長い棒７３を上方に偏倚させる。頂部の保持用プラットホーム８１が支持ブロック６４に接触した状態で、係合半部９２を球根状端部８９による干渉なしに貫通孔８０内に挿入するに際して十分な余地がある。挿入部材８３を図４Ｃに示す定位置に一旦配置すると、図４Ｃの矢印で示す吊り上げ用ノッチ７９に吊り上げ用工具を固定する。ついで、頂部の保持用プラットホーム８１を頂部の支持ブロック６４から離れる方向に持ち上げて、細長い棒７３に張力を付与し、さらに底部の保持用プラットホーム８０を底部のイル５６に押圧する。その後、シム７８を図４Ａに示すように頂部の保持用プラットホーム８１と頂部の支持ブロック６４との間に挿入する。
【００２５】
細長い棒７２及び図４Ａを参照して説明した球根状端部を有する細長い棒７３として形成した半径方向バンドの球根状端部８８は、一例として、図９、９Ａ及び１０を参照して説明するガラス製のボール１２０を用いて形成する。
【００２６】
図４Ａに示す好ましい実施例の細長い棒７３は、張力下で予め硬化させねじりを付与したガラス繊維のバンド１２４の両端１２２、１２３内に第１及び第２のガラス製ボール１２０、１２１を支持させて形成することにより、細長い棒７３として説明した、また一例として、図１０を参照して説明した剛性の細長いガラス繊維の棒を形成するのが好ましい。この細長い棒７３は、第１のバンド１２６を多数回巻き付けて連続するループ１２８を形成することにより製造する。ループ１２８の自由端部は、図９を再び参照すると数字１２９で示されるように結び付けられている。第１及び第２のボール１２０、１２１は、ループ１２８の端部内で離隔して配置する。その後、第１のループ１２８を、ボール１２０と１２１の間を延びる軸線の周りに、図４Ａ及び１１を参照して述べたように、ボールがバンド１２６内に完全に包み込まれて球根状端部を形成するようになるまでねじる。好ましい実施例では、図９Ａを参照して説明するように、第２のバンド１２７を第１のループ１２８の周りにそれと直角に巻き付けて第２のループ１３０を形成し、ボール１２０、１２１を取り囲むようにする。その後、ボール１２０、１２１を内包する連続したバンド１２６、１２８をねじることにより、細長い棒７３を形成する。細長い棒７２、７３の好ましい実施例では、これらの棒７２、７３を形成する工程は、樹脂を含浸させ結合させたガラス繊維を用意し、ねじりを与えたループ１２６、１２８に張力を付与し、樹脂を硬化させて、予め硬化させた剛性の細長い棒を形成するステップより成る。
【００２７】
細長い棒として形成される予め硬化させた半径方向バンド７２、７３は、ポリエステル、アクリル又はエポキシ樹脂を含浸させたガラス繊維材のような従来の材料で作るのが好ましい。半径方向バンド７２、７３は、好ましくは、発電機の外部で実施される別個の硬化プロセス時に取付け具により形成する。硬化プロセス時の好ましい温度は使用する樹脂により異なるが、１００℃から約１６０℃の範囲である。これらの温度を維持する時間もまた、使用する樹脂により異なる。温度が低ければ低いほど長い硬化時間を必要とし、また、温度が高ければ高いほどバンドの硬化に要する時間は短いことに注意されたい。半径方向バンド７２は、コイル巻線への取り付け前にピン７６を定位置にして硬化又は予め硬化させることに注意されたい。
【００２８】
本発明の利点の１つは、予め硬化させた半径方向バンド７２及びピン組立体、または２つのボール１２０，１２１を有する半径方向バンド７３が巻線中でのバンドの硬化を不要にすることである。もう１つの利点として、半径方向バンド７２の球根状ヘッド部分８８によりコイル５４と５６の間における装着が比較的迅速且つ容易に行えることがある。
【００２９】
本発明のさらに別の実施例では、図１１を参照して説明するように、１本の細長い棒１３２は、前述したような球根状端部ではなくて溝１３５を形成した溝付き端部１３４を有する。この実施例の連結用挿入部材１３６は、図１２に示すように、溝１３５の内部で作用して棒を連結用挿入部材内に固定する突起部またはフランジ１３７を有する。この連結用挿入部材１３６は、前述したような特徴を備えるようにしてもよい。
【００３０】
本発明の多数の特徴及び利点を上記の説明において本発明の構造及び機能の詳細と共に明らかにしたが、その説明は例示的なものにすぎず、本発明の原理に含まれる部品の形状、サイズ及び配置構成については、頭書の特許請求の範囲に記載された用語の広く一般的な意味により定義される最大の範囲内で変形例及び設計変更が可能であることを理解されたい。
【図面の簡単な説明】
【図１】  図１は、回転電機に用いる従来技術の半径方向クランプ組立体を示す。
【図２】  図２は、図１の回転電機の線2−2に沿う断面図である。
【図３】  図３は、回転電機に用いる本発明の好ましい実施例による半径方向クランプを示す。
【図４】  図４は、図３の回転電機の線４−４に沿う断面図である。
【図４Ａ】  図４Ａは、本発明のクランプ装置の別の実施例を示す回転電機の断面図である。
【図４Ｂ】  図４Ｂは、本発明の一実施例の部分断面図であり、クランプ装置の取り付けの一段階を例示するものである。
【図４Ｃ】  図４Ｃは、本発明の一実施例の部分断面図であり、クランプ装置の取り付けの一段階を例示するものである。
【図５】  図５は、図３の半径方向クランプと共に用いるバンド取付け組立体の拡大図である。
【図６】  図６は、本発明による半径方向クランプの第２の実施例を示す。
【図７】  図７は、図６の半径方向クランプと共に用いるバンド取付け組立体の拡大図である。
【図８】  図８は、図７に示すバンド取付け組立体底面図である。
【図９】  図９は、図４Ａを参照して説明する細長い棒の形成準備段階としての２つのボールの周りに形成したループを示す側面図である。
【図９Ａ】  図９Ａは、図４Ａを参照して説明する細長い棒の形成準備段階としての２つのボールの周りに二重のループを形成した図９の変形例を示す側面図である。
【図１０】  図１0は、図４Ａを参照して説明する細長い棒を詳細に示す部分断面図である。
【図１１】  図１１は、細長い棒の端部の別の実施例である。
【図１２】  図１2は、プラットホームの連結用挿入部材の内部に図１１の棒を用いる断面図である。
【図１】
0004279456.tif 000002
【図２】
0004279456.tif 000003
【図３】
0004279456.tif 000004
【図４】
0004279456.tif 000005
【図４Ａ】
0004279456.tif 000006
【図４Ｂ】
0004279456.tif 000007
【図４Ｃ】
0004279456.tif 000008
【図５】
0004279456.tif 000009
【図６】
0004279456.tif 000010
【図７】
0004279456.tif 000011
【図８】
0004279456.tif 000012
【図９】
0004279456.tif 000013
【図９Ａ】
0004279456.tif 000014
【図１０】
0004279456.tif 000015
【図１１】
0004279456.tif 000016
【図１２】
0004279456.tif 000017